(57)【要約】【課題】従来より小さい力で操作できるステープルガンを提供する。【解決手段】本発明のステープルガンは、嵌合して前方近くに開口が開いている一対のハウジング体と、左右方向に延伸する第１の軸部２３と、を備えるハウジング手段２と、上下方向Ｚに延伸し、上下移動可能に設置されている押刃３と、前方へ延伸している受力アーム４１４と受力アーム４１４より前方へ延伸して押刃３に挿入する駆動アーム４１５とを有するねじりコイルばね４１１を備える付勢ユニットと、上下圧縮できる圧縮ばね４２と、を備える付勢手段４と、第１の軸部２３に枢設され、下方回動で受力アーム４１４を下方へ移動させるハンドル部５１と、ハンドル部５１と共に回動でき、搖動可能に第１の軸部２３に枢設されていて、係合孔３１１に係合できると共に搖動によりその係合が解除されることができるように構成されている搖動部５２と、を備えるハンドル５と、を備える。【選択図】図５
2019130662.tif 000002
【特許請求の範囲】
【請求項１】
それらの間に収容空間がなり、且つ底部の前方近くに開口が開くように左右互いに嵌合している一対のハウジング体と、左右方向に沿って延伸し、且つ、前記収容空間内で前記開口より後方に設置されている第１の軸部と、を備えているハウジング手段と、
前記左右方向と直交する上下方向に沿って延伸している薄板状で、上半部に係合孔が開けられていると共に、下端縁が前記開口に面し、且つ、全体が上下移動可能に前記収容空間に設置されている押刃と、
前記押刃を上下移動させるために前記収容空間の前記押刃より後方に設置されている付勢手段と、
前記第１の軸部を軸心として回動可能に前記第１の軸部に枢設されているハンドルユニットと、を備えており、
前記付勢手段は、
前記左右方向及び前記上下方向のいずれとも直交する前後方向に沿って設置されている上、一端が前方へ延伸していて受力アームとなり、他端が前記受力アームより前方へ延伸しながら前記押刃に挿入していて駆動アームとなっているねじりコイルばねを備えている付勢ユニットと、
上端が前記付勢ユニットに当接し且つ下端が前記ハウジング手段に当接していると共に、上下圧縮できるように設置されている圧縮ばねと、を備えており、
前記ハンドルユニットは、  
一端が前記第１の軸部を軸心として回動可能に前記第１の軸部に枢設されているものであって、後方へ延伸していて、且つ、下方へ回動することにより前記ねじりコイルばねの前記受力アームを下方へ移動させることができるように構成されているハンドル部と、
前記ハンドル部と共に回動できるように前記ハンドル部の前記一端に設置されていると共に、前記第１の軸部を軸心として搖動可能に前記第１の軸部に枢設されていて、前記ハンドル部の前記一端から前方へ突出していて前記押刃の前記係合孔に係合できると共に該搖動によりその係合が解除されることができるように構成されている搖動部と、
前記搖動部に前記係合孔に係合する付勢力を与えるために前記ハンドル部及び前記搖動部の間に設置されている弾性部材と、を備えており、
前記ハンドル部は、前記回動により予備位置と打出し位置との間に変換でき、
前記ハンドル部が前記予備位置にある際、前記押刃の下端縁が前記開口に面しており、また、前記搖動部が前記押刃の前記係合孔に係合しており、
前記ハンドル部を前記予備位置から前記打出し位置に変換させる間に、前記ハンドル部が下方へ回動されて前記付勢ユニットにおける前記ねじりコイルばねの前記受力アームを下方へ移動させて前記圧縮ばねを圧縮し、前記圧縮ばねの前記付勢ユニットの前記受力アームを上へ移動させる付勢力を増加させ、且つ、前記搖動部が上方へ回動されることにより前記押刃を上方へ移動させて前記ねじりコイルばねの前記駆動アームを上方へ連動させて、前記駆動アームの前記押刃を下方へ移動させる付勢力を増加させ、
前記ハンドル部が前記打出し位置になると、前記搖動部が前記押刃の前記係合孔から外れて、前記ねじりコイルばねの前記駆動アームがその付勢力により前記押刃をその下端縁が前記開口に臨む位置に下方へ移動させ、
前記ハンドル部を前記打出し位置から前記予備位置に変換させる間に、前記圧縮ばねがその付勢力により前記付勢ユニットの前記受力アーム及び前記駆動アームを上へ移動させて前記ハンドル部を上方へ回動しながら前記搖動部を下方へ回動すると共に、前記押刃を上へ連動させ、また、前記押刃の該上方移動及び前記搖動部の該下方回動により、前記搖動部が前記押刃の上端に当接すると、前記搖動部が前記弾性部材を押しながら前記第１の軸部へ搖動して、前記弾性部材の前記搖動部を前記係合孔に係合する付勢力を増加させることを特徴とするステープルガン。
【請求項２】
前記ハウジング手段には、前記収容空間内で前記左右方向に沿って延伸し、且つ、前記第１の軸部の後方に設置されている第２の軸部を更に備えており、
前記付勢ユニットは、２つの前記ねじりコイルばねと、前記２つのねじりコイルばねの前記受力アームを固定して連接するように設置構成されている連接部材とを備えており、
各前記ねじりコイルばねは、前記第２の軸部を軸心として回転できるように前記第２の軸部に枢設されているコイル部を更に有していて、前記受力アーム及び前記駆動アームそれぞれが上下方向視で互いに交差せずに前記コイル部の両端から延伸してなっているものであり、
前記ハンドル部は前記連接部材に当接するように設置構成されていることを特徴とする請求項１に記載のステープルガン。
【請求項３】
前記連接部材は、
前記２つのねじりコイルばねの前記受力アーム及び前記駆動アームの下方に架け渡されて各前記受力アームに下から接触する基部と、
前記基部の左右両側から上方へ延伸してから、互いに向かって曲がって前記受力アームの先端部の上縁部に当接している２つの受圧部と、
前記圧縮ばねの上端開口に挿入できるように前記基部から下方へ延伸している挿入部と、を備えており、
前記ハンドル部には、前記２つの受圧部に当接する加圧棒が配置構成されていることを特徴とする請求項２に記載のステープルガン。
【請求項４】
前記押刃は、
前記上端縁から前方へ斜めに延伸している斜面部があり、また、
前記係合孔の下方に前記ねじりコイルばねの前記駆動アームが挿入できる挿入口が開けられており、
前記ハンドル部を前記打出し位置から前記予備位置に移動する間に、前記ハンドルユニットの前記搖動部が前記押刃の前記斜面部に当接することにより前記搖動部が前記弾性部材を押しながら前記第１の軸部へ搖動することができることを特徴とする請求項１〜請求項３のいずれか一項に記載のステープルガン。
【請求項５】
前記ハンドル部は、前後に延伸している上壁部と、前記上壁部の左右両側から下方へ延伸しながら、前記上壁部の前端部より前方へ突出している２つの側壁部と、を備えており、
前記２つの側壁部の前記上壁部より前方へ突出している部分には、前記第１の軸部に枢設できる枢設孔が開けられており、
前記搖動部は、前後延伸し、且つ、スロットが開けられている頂板部と、前記頂板部の左右両側から下方へ延伸していて、且つ前記第１の軸部に枢設できる軸孔が開けられている２つの側板部と、を備えていると共に、前記押刃の前記係合孔に係合する部分及び前記スロットの前半部が前記上壁部の前方に露出するように前記ハンドル部内に設置されており、
前記弾性部材は、回転可能に前記第１の軸部に枢設されているコイル体と、前記ハンドル部の前記上壁部及び前記搖動部の前記頂板部における前記スロットの前端縁それぞれに当接するように前記コイル体から延伸する２つのアームと、を備えていることを特徴とする請求項１〜請求項４のいずれか一項に記載のステープルガン。
【発明の詳細な説明】
【技術分野】
【０００１】
本発明はステープラに関し、特にステープルガンに関する。
【背景技術】
【０００２】
従来のステープルガン、例えば特許文献１のステープルガン１は、図１及び図２に示されるように、軸部１１１を有するハウジング１１と、軸部１１１の前に設置されている押刃１２１と、前端が押刃１２１に取外し可能に係合でき、且つ軸部１１１に回動可能に設置されているハンドル１３と、前端が押刃１２１に嵌入している板バネ１２２とを備えている。
【０００３】
ハンドル１３の後方にある加圧部１３１を下方へ押すと、ハンドル１３の前端が上方へ回動して押刃１２１を上方へ移動させて板バネ１２２の前端を上方へ連動させる。そして、ハンドル１３の前端が押刃１２１から外れるまで回動されると、押刃１２１は板バネ１２２の付勢力により下方へ移動して針（ステープル）を打ち出す。
【先行技術文献】
【特許文献】
【０００４】
【特許文献１】台湾実用新案登録第５４５３５０号公報
【発明の概要】
【発明が解決しようとする課題】
【０００５】
しかし、板バネ１２に針を打ち出す付勢力を貯めさせるために、板バネ１２の前端を上方へ長い距離連動させることが必要なので、使用するときに大きな力が必要となる。
【０００６】
従って、本発明の目的は、より小さな力で操作できるステープルガンを提供することである。
【課題を解決するための手段】
【０００７】
本発明は、それらの間に収容空間がなり、且つ底部の前方近くに開口が開くように左右互いに嵌合している一対のハウジング体と、左右方向に沿って延伸し、且つ、前記収容空間内で前記開口より後方に設置されている第１の軸部と、を備えているハウジング手段と、前記左右方向と直交する上下方向に沿って延伸している薄板状で、上半部に係合孔が開けられていると共に、下端縁が前記開口に面し、且つ、全体が上下移動可能に前記収容空間に設置されている押刃と、前記押刃を上下移動させるために前記収容空間の前記押刃より後方に設置されている付勢手段と、前記第１の軸部を軸心として回動可能に前記第１の軸部に枢設されているハンドルユニットと、を備えており、前記付勢手段は、前記左右方向及び前記上下方向のいずれとも直交する前後方向に沿って設置されている上、一端が前方へ延伸していて受力アームとなり、他端が前記受力アームより前方へ延伸しながら前記押刃に挿入していて駆動アームとなっているねじりコイルばねを備えている付勢ユニットと、上端が前記付勢ユニットに当接し且つ下端が前記ハウジング手段に当接していると共に、上下圧縮できるように設置されている圧縮ばねと、を備えており、前記ハンドルユニットは、一端が前記第１の軸部を軸心として回動可能に前記第１の軸部に枢設されているものであって、後方へ延伸していて、且つ、下方へ回動することにより前記ねじりコイルばねの前記受力アームを下方へ移動させることができるように構成されているハンドル部と、前記ハンドル部と共に回動できるように前記ハンドル部の前記一端に設置されていると共に、前記第１の軸部を軸心として搖動可能に前記第１の軸部に枢設されていて、前記ハンドル部の前記一端から前方へ突出していて前記押刃の前記係合孔に係合できると共に該搖動によりその係合が解除されることができるように構成されている搖動部と、前記搖動部に前記係合孔に係合する付勢力を与えるために前記ハンドル部及び前記搖動部の間に設置されている弾性部材と、を備えており、前記ハンドル部は、前記回動により予備位置と打出し位置との間に変換でき、前記ハンドル部が前記予備位置にある際、前記押刃の下端縁が前記開口に面しており、また、前記搖動部が前記押刃の前記係合孔に係合しており、前記ハンドル部を前記予備位置から前記打出し位置に変換させる間に、前記ハンドル部が下方へ回動されて前記付勢ユニットにおける前記ねじりコイルばねの前記受力アームを下方へ移動させて前記圧縮ばねを圧縮し、前記圧縮ばねの前記付勢ユニットの前記受力アームを上へ移動させる付勢力を増加させ、且つ、前記搖動部が上方へ回動されることにより前記押刃を上方へ移動させて前記ねじりコイルばねの前記駆動アームを上方へ連動させて、前記駆動アームの前記押刃を下方へ移動させる付勢力を増加させ、前記ハンドル部が前記打出し位置になると、前記搖動部が前記押刃の前記係合孔から外れて、前記ねじりコイルばねの前記駆動アームがその付勢力により前記押刃をその下端縁が前記開口に臨む位置に下方へ移動させ、前記ハンドル部を前記打出し位置から前記予備位置に変換させる間に、前記圧縮ばねがその付勢力により前記付勢ユニットの前記受力アーム及び前記駆動アームを上へ移動させて前記ハンドル部を上方へ回動しながら前記搖動部を下方へ回動すると共に、前記押刃を上へ連動させ、また、前記押刃の該上方移動及び前記搖動部の該下方回動により、前記搖動部が前記押刃の上端に当接すると、前記搖動部が前記弾性部材を押しながら前記第１の軸部へ搖動して、前記弾性部材の前記搖動部を前記係合孔に係合する付勢力を増加させることを特徴とするステープルガン。
【発明の効果】
【０００８】
上記の構成によれば、本発明のステープルガンは、ねじりコイルばねを用いて、ハンドル部を予備位置から打出し位置に移動する間に、ねじりコイルばねの受力アームを下へ押すと共に、駆動アームが上へ連動されるので、より大きいねじり角度が生じて付勢力をより多く増加させることができる。従って、針を打ち出す付勢力を貯めさせるために必要な押刃の上への移動距離を短縮できて、より小さい力で操作できる。
【図面の簡単な説明】
【０００９】
【図１】従来のステープルガンの断面図である。
【図２】従来のステープルガンのハンドルが押された状態を示す断面図である。
【図３】本発明のステープルガンの第１の実施形態の斜視図である。
【図４】上記のステープルガンの部品分解図である。
【図５】上記のステープルガンが予備位置にある状態を示す図であって、１つのハウジング体を省略した側面図である。
【図６】上記のステープルガンにおける付勢ユニットと押刃との斜視図である。
【図７】上記のステープルガンにおける付勢ユニットと押刃との他の角度の斜視図である。
【図８】図５の部分拡大図である。
【図９】上記のステープルガンが打出し位置にある状態を示す図であって、１つのハウジング体を省略した側面図である。
【図１０】上記のステープルガンの図５の状態における斜視図である。
【図１１】上記のステープルガンが図１０の状態から打出し位置に移動する間の斜視図である。
【図１２】上記のステープルガンが図１１の状態から打出し位置になって搖動部が押刃の係合孔から外れる前の状態になった斜視図である。
【図１３】上記のステープルガンが図１２の状態から搖動部が押刃の係合孔から外れて、押刃が下へ移動する前の状態になった斜視図である。
【図１４】上記のステープルガンが図１３の状態から押刃が下へ移動した状態になった斜視図である。
【図１５】上記のステープルガンが図１４の状態から予備位置に移動する間の斜視図である。
【図１６】図１４において、搖動部が押刃に当接する状態を示す部分拡大図である。
【図１７】本発明のステープルガンの第２の実施形態を示す図であって、１つのハウジング体を省略した斜視図である。
【図１８】上記のステープルガンにおける付勢ユニットとハンドルユニットとの斜視図である。
【図１９】上記のステープルガンが打出し位置にある状態を示す図であって、１つのハウジング体を省略した斜視図である。
【発明を実施するための形態】
【００１０】
本発明をより詳細に説明する前に、適切と考えられる場合において、符号又は符号の末尾部分は、同様の特性を有し得る対応の又は類似の要素を示すために各図面間で繰り返し用いられることに留意されたい。
＜第１の実施形態＞
本発明のステープルガンの第１の実施形態は、図３及び図４に示されるように、ハウジング手段２と、押刃３と、付勢手段４と、ハンドルユニット５とを備えている。
【００１１】
ハウジング手段２は、図４及び図５に示されるように、それらの間に収容空間２０がなり、且つ底部の前後方向Ｘにおける前方近くに開口が開くように左右互いに嵌合している一対のハウジング体２１、２２と、前後方向Ｘと直交する左右方向Ｙに沿って延伸し、且つ、収容空間２０内で開口より後方に設置されている第１の軸部２３と、収容空間２０内で左右方向Ｙに沿って延伸し、且つ、第１の軸部２３の後方且つ下方に設置されている第２の軸部２４と、第１の軸部２３と開口との間に収容空間２０内で前後方向Ｘに沿って水平に延伸している固定板２５と、固定板２５の前半部に設置されている制限ブロック２６と、収容空間２０に設置されていると共に、前後方向Ｘ及び左右方向Ｙのいずれとも直交する上下方向Ｚに沿って上下開口する打出し軌道２７１を画成しながら延伸するように構成されていて、打出し軌道２７１の下端開口が一対のハウジング体２１、２２の開口と重なる針射出口２８になる案内部材２７と、を備えている。
【００１２】
なお、他の実施形態として、一対のハウジング体２１、２２と案内部材２７とを一体的に成形することができ、この場合、一対のハウジング体２１の前方近くの開口が案内部材２７の針射出口２８と同じ開口になる。
【００１３】
押刃３は、図６及び図７に示されるように、上下方向Ｚに沿って延伸している薄板状であって、その上半部に係合孔３１１及び係合孔３１１の下方に挿入口３１２が開けられている本体３１と、本体３１の上半部の上端縁から前方へ斜めに延伸している斜面部３２とを備え、且つ、下端縁が針射出口２８に面するように下半部が案内部材２７の打出し軌道２７１内に挿入して、全体が上下方向Ｚに沿って移動可能に収容空間２０に設置されている。この実施形態において、本体３１の上半部の上端縁近くに係合孔３１１が開けられている。
【００１４】
付勢手段４は、図４〜図６に示されるように、押刃３を上下方向Ｚに沿って移動させるために収容空間２０の押刃３より後方に、且つ、前後方向Ｘに沿って設置されている付勢ユニット４１と、上端が付勢ユニット４１に当接し且つ下端がハウジング手段２の固定板２５に当接していると共に、上下方向Ｚに沿って圧縮できるように固定板２５における制限ブロック２６の後方に設置されている圧縮ばね４２と、を備えている。この実施形態において、圧縮ばね４２として、円すい圧縮コイルばねを使用している。
【００１５】
付勢ユニット４１は、図６及び図７に示されるように、ねじりコイルばね４１１と、ねじりコイルばね４１１に設置されている連接部材４１２とを備えている。この実施形態において、付勢ユニット４１は、２つのねじりコイルばね４１１を備えている。
【００１６】
ねじりコイルばね４１１は、図６及び図７に示されるように、第２の軸部２４を軸心として回転できるように第２の軸部２４に枢設されているコイル部４１３と、コイル部４１３の一端から前後方向Ｘに沿って前方へ延伸している受力アーム４１４と、受力アーム４１４と上下方向視で交差せずにコイル部４１３の他端から受力アーム４１４より前方へ延伸しながら押刃３の挿入口３１２に挿入している駆動アーム４１５を備えている。この実施形態において、ねじりコイルばね４１１は、駆動アーム４１５が上方へ移動されて、下方へ回動する付勢力が生じる付勢状態で連接部材４１２を設置して使用されているので、図６及び図７に示される状態において既に、駆動アーム４１５は下方へ回動する付勢力が生じている。
【００１７】
連接部材４１２は、図６及び図７に示されるように、２つのねじりコイルばね４１１の受力アーム４１４を固定して連接するように設置構成されているものであって、２つの受力アーム４１４及び２つの駆動アーム４１５の下方に架け渡されて２つの受力アーム４１４に下から接触する基部４１６と、基部４１６の前半部の左右両側から上方へ延伸しながら、受力アーム４１４の先端部の上縁部に当接している２つの受圧部４１７と、基部４１６の後半部の左右両側から２つの受力アーム４１４の中間部を包囲して受力アーム４１４に固定されている２つの固定部４１８と、圧縮ばね４２の上端開口に挿入できるように基部４１６から下方へ延伸している挿入部４１９と、を備えている。この実施形態において、圧縮ばね４２の上端及び２つの駆動アーム４１５は連接部材４１２の基部４１６に当接している。
【００１８】
２つの受圧部４１７について、図６に示されるように、基部４１６の前半部の左右両側から上方へ延伸してから、互いに向かって曲がってそれぞれ受力アーム４１４の先端部の上縁部に当接している。即ち、右側の受圧部４１７は、その前後方向Ｘにおける前端から左側の受圧部４１７に向いて更に延伸して、右側の受力アーム４１４の先端部の上縁部に当接しており、同じく、左側の受圧部４１７は、その前後方向Ｘにおける前端から右側の受圧部４１７に向いて更に延伸して、左側の受力アーム４１４の先端部の上縁部に当接している。
【００１９】
なお、他の実施形態として、固定部４１８を設けずに、受圧部４１７の受力アーム４１４の先端部の上縁部に当接している部分のみによっても、連接部材４１２を受力アーム４１４に固定することができる。または、受圧部４１７の受力アーム４１４の先端部の上縁部に当接している部分を設けずに、固定部４１８のみによっても、受力アーム４１４を下方へ押すこともできる。
【００２０】
ハンドルユニット５は、図４、図５、図８に示されるように、第１の軸部２３を軸心として回動可能に第１の軸部２３に枢設されているものであって、ハンドル部５１と、搖動部５２と、弾性部材５３と、ハンドルカバー５４とを備えている。
【００２１】
ハンドル部５１は、図５及び図８に示されるように、一端が第１の軸部２３を軸心として回動可能に第１の軸部２３に枢設されているものであって、後方へ延伸していて、且つ、付勢ユニット４１の連接部材４１２に当接し、下方へ回動することによりねじりコイルばね４１１の受力アーム４１４を下方へ移動させることができるように構成されている。
【００２２】
具体的には、ハンドル部５１は、前後に延伸している上壁部５１１と、上壁部５１１の左右両側から下方へ延伸しながら、上壁部５１１の前端部より前方へ突出している２つの側壁部５１２と、左右方向Ｙに沿って２つの側壁部５１２を貫通して付勢ユニット４１の連接部材４１２における２つの受圧部４１７それぞれに当接する加圧棒５１３と、を備え、第１の軸部２３に枢設されている前記一端を前段５１４とし、後方へ延伸している部分を加圧段５１５とする。ハンドルカバー５４は使用者がより快適に操作できるようにするために加圧段５１５をカバーするよう設けられている。
【００２３】
また、２つの側壁部５１２の上壁部５１１より前方へ突出している部分には、第１の軸部２３に枢設できる枢設孔５１６が開けられている。
【００２４】
加圧棒５１３は、連接部材４１２の２つの受圧部４１７の上端縁に当接している。
【００２５】
搖動部５２は、図８に示されるように、ハンドル部５１と共に回動できるようにハンドル部５１の前記一端である前段５１４に設置されていると共に、第１の軸部２３を軸心として搖動可能に第１の軸部２３に枢設されていて、ハンドル部５１の前段５１４から前方へ突出していて、押刃３の係合孔３１１に係合できるように且つ上記搖動により係合孔３１１との係合が解除される（即ち係合孔３１１から外れる）ことができるように構成されているものであって、前端に押刃３の係合孔３１１に係合する部分として係合端５２４が構成されていると共に、前後延伸し、且つ、係合端５２４の後方にスロット５２３が開けられている頂板部５２１と、頂板部５２１の左右両側から下方へ延伸していて、且つ第１の軸部２３に枢設できる軸孔５２５が開けられている２つの側板部５２２と、を備えていると共に、係合端５２４及びスロット５２３の前半部がハンドル部５１の上壁部５１１の前方に露出するようにハンドル部５１内に設置されている。
【００２６】
ハンドル部５１及び搖動部５２それぞれは、枢設孔５１６及び軸孔５２５を以って第１の軸部２３に枢設されている。
【００２７】
弾性部材５３は、図８に示されるように、搖動部５２に係合孔３１１に係合する付勢力を与えるためにハンドル部５１及び搖動部５２の間に設置されているものであって、回転可能に第１の軸部２３に枢設されているコイル体５３１と、ハンドル部５１の上壁部５１１及び搖動部５２の頂板部５２１におけるスロット５２３の前端縁それぞれに当接するようにコイル体５３１から延伸する２つのアーム５３２と、を備えている。この実施形態において、弾性部材５３として、ねじりコイルばねを使用している。
【００２８】
ハンドル部５１は、回動により図５に示される予備位置と図９に示される打出し位置との間に変換できる。
【００２９】
図５及び図１０に示されるように、ハンドル部５１が予備位置にある際、押刃３の下端縁が針射出口２８に面しており、また、搖動部５２の係合端５２４が押刃３の係合孔３１１に係合している。
【００３０】
図１１に示されるように、ハンドル部５１の加圧段５１５を下方へ押すことにより、ハンドル部５１を予備位置から打出し位置に変換させる間に、ハンドル部５１の加圧段５１５が下方へ回動され、そして、付勢ユニット４１の連接部材４１２における２つの受圧部４１７に当接しているハンドル部５１の加圧棒５１３が２つの受圧部４１７を下方へ押して、ねじりコイルばね４１１の受力アーム４１４を下方へ移動させて圧縮ばね４２を圧縮し、圧縮ばね４２の付勢ユニット４１の前記受力アーム４１４を上へ移動させる付勢力を増加させ、且つ、ハンドル部５１の前段５１４にある搖動部５２が上方へ回動されることにより押刃３を上方へ移動させてねじりコイルばね４１１の駆動アーム４１５を上方へ連動させて、駆動アーム４１５の押刃３を下方へ移動させる付勢力を増加させる。
【００３１】
ハンドル部５１が打出し位置になると、先ず、図１２に示されるように、搖動部５２の係合端５２４が押刃３の係合孔３１１から外れる前の状態になる。そして、図１３に示されるように、搖動部５２の係合端５２４が押刃３の係合孔３１１から外れて、ねじりコイルばね４１１の駆動アーム４１５がその付勢力により押刃３を下方へ移動させる前の状態になる。次いで、図９及び図１４に示されるように、ねじりコイルばね４１１の駆動アーム４１５がその付勢力をリリースして、押刃３をその下端縁が針射出口２８に臨む位置に下方へ移動させ、それにより、押刃３が針を針射出口２８から打ち出す打出し動作を行う。同時に、駆動アーム４１５が制限ブロック２６に当止されて、より下方への移動が制限されて、連接部材４１２の基部４１６を強く打つことを防止する。
【００３２】
図１５及び図１６に示されるように、ハンドル部５１の加圧段５１５を放すことにより、ハンドル部５１を打出し位置から予備位置に変換させる間に、圧縮ばね４２がその付勢力をリリースして付勢ユニット４１の連接部材４１２における基部４１６を上方へ移動させることにより、受力アーム４１４を上へ移動させてハンドル部５１の加圧段５１５を上方へ回動しながらハンドル部５１の前段５１４にある搖動部５２を下方へ回動すると共に、駆動アーム４１５を上へ移動させて押刃３を上へ連動させ、また、押刃３の該上方移動及び搖動部５２の該下方回動により搖動部５２の係合端５２４が押刃３の斜面部３２に当接すると、搖動部５２が斜面部３２に当接しながら下方へ回動することにより前記弾性部材５３の１つのアーム５３２を押しながら第１の軸部２３へ搖動して、該アーム５３２を他のアーム５３２に接近させて、搖動部５２の係合端５２４が係合孔３１１に係合する付勢力を増加させる。
【００３３】
そして、図５及び図８に示されるように、搖動部５２の係合端５２４が係合孔３１１の位置に回動すると、弾性部材５３の付勢力により、搖動部５２の係合端５２４が係合孔３１１に係合し、ハンドル部５１が予備位置に戻る。
【００３４】
上記の構成によれば、本発明のステープルガンは、ハンドル部５１が予備位置から打出し位置に移動する間に、ねじりコイルばね４１１の受力アーム４１４を下へ押すと共に、駆動アーム４１５が上へ連動されるので、より大きいねじり角度が生じて付勢力をより多く増加させることができる。従って、針を打ち出す付勢力を貯めさせるために必要な、ハンドル部５１による押刃３の上への移動距離を短縮できて、より小さい力で操作できる。
【００３５】
また、２つのねじりコイルばね４１１を備えることにより、駆動アーム４１５による押刃３の上下移動がより安定する。
【００３６】
また、連接部材４１２の２つの受圧部４１７がねじりコイルばね４１１の２つの受力アーム４１４の先端部の上縁部に当接し、且つ、２つの固定部４１８が２つの受力アーム４１４の中間部を包囲することにより、ねじりコイルばね４１１の２つの受力アーム４１４がより固く連接部材４１２に固定されるようにすることができる。
＜第２の実施形態＞
本発明の第２の実施形態は、上記第１の実施形態と多くの構成が共通するので、ここでは詳しい説明を省略し、その相違点のみを説明する。
【００３７】
図１７及び図１８に示されるように、付勢手段４の付勢ユニット４１は、１つのねじりコイルばね４１１と押圧部材４３とを備えている。
【００３８】
この実施形態のねじりコイルばね４１１は、中軸が左右方向Ｙに沿うように巻いているコイル部４１３と、コイル部４１３の一端から前方へ延伸してから、下方へ曲がって延伸した後、更に図１８の右側へ曲がって左右方向Ｙに沿って延伸している受力アーム４１４と、コイル部４１３の他端から受力アーム４１４より前方へ延伸しながら押刃３の挿入口３１２に挿入している駆動アーム４１５とを備えている。また、受力アーム４１４と駆動アーム４１５とが互いに押し合うように、駆動アーム４１５が、受力アーム４１４における図１８の右側へ曲がって左右方向Ｙに沿って延伸している部分に係止されていて、駆動アーム４１５が下方へ回動する付勢力が生じる付勢状態でねじりコイルばね４１１がステープルガンに取り付けられる。
【００３９】
押圧部材４３は、受力アーム４１４の左右方向Ｙに沿って延伸している部分を下から収容できる収容槽４３１を画成し、且つ、底面から下方へ延伸して圧縮ばね４２の上端開口に挿入できる挿入部４３２を備えている。且つ、ハンドル部５１の加圧棒５１３は、受力アーム４１４の前方へ延伸している部分に当接している。
【００４０】
ハンドル部５１は、回動により図１７に示される予備位置と図１９に示される打出し位置との間に変換できる。従って、上記第１の実施形態と同じ効果を有する。
【００４１】
以上、本発明の好ましい実施形態及び変化例を説明したが、本発明はこれらに限定されるものではなく、最も広い解釈の精神および範囲内に含まれる様々な構成として、全ての修飾および均等な構成を包含するものとする。
【産業上の利用可能性】
【００４２】
本発明のステープルガンは、紙や布などのものを針で固定することに好適である。
【符号の説明】
【００４３】
２  ハウジング手段
２０  収容空間
２１、２２  ハウジング体
２３  第１の軸部
２４  第２の軸部
２５  固定板
２６  制限ブロック
２７  案内部材
２７１  打出し軌道
２８  針射出口
３  押刃
３１  本体
３１１  係合孔
３１２  挿入口
３２  斜面部
４  付勢手段
４１  付勢ユニット
４１１  ねじりコイルばね
４１２  連接部材
４１３  コイル部
４１４  受力アーム
４１５  駆動アーム
４１６  基部
４１７  受圧部
４１８  固定部
４１９、４３２  挿入部
４２  圧縮ばね
４３  押圧部材
４３１  収容槽
５  ハンドルユニット
５１  ハンドル部
５１１  上壁部
５１２  側壁部
５１３  加圧棒
５１４  前段
５１５  加圧段
５１６  枢設孔
５２  搖動部
５２１  頂板部
５２２  側板部
５２３  スロット
５２４  係合端
５２５  軸孔
５３１  コイル体
５３２  アーム
５３  弾性部材
５４  ハンドルカバー
Ｘ  前後方向
Ｙ  左右方向
Ｚ  上下方向
【図１】
2019130662.tif 000003
【図２】
2019130662.tif 000004
【図３】
2019130662.tif 000005
【図４】
2019130662.tif 000006
【図５】
2019130662.tif 000007
【図６】
2019130662.tif 000008
【図７】
2019130662.tif 000009
【図８】
2019130662.tif 000010
【図９】
2019130662.tif 000011
【図１０】
2019130662.tif 000012
【図１１】
2019130662.tif 000013
【図１２】
2019130662.tif 000014
【図１３】
2019130662.tif 000015
【図１４】
2019130662.tif 000016
【図１５】
2019130662.tif 000017
【図１６】
2019130662.tif 000018
【図１７】
2019130662.tif 000019
【図１８】
2019130662.tif 000020
【図１９】
2019130662.tif 000021